(57)【要約】      （修正有）【課題】建築板を安定して固定することができるとともに、不陸解消に優れた壁面施工構造を提供する。【解決手段】第一アングルＡ１は、第一片ａ１１が構造躯体に接した状態で固定されており、第二アングルＢ１は、第一片が第一アングルの第二片ａ１２と接すると共に、第二片が構造躯体に対して平行な状態で固定されている。固定部ｄ１１を備える金具は、固定部ｄ１１が第二アングルＢ１の第二片ｂ１２と接した状態で固定されており、建築板Ｅ１は、実部が該金具の上係止部ｄ１５、下係止部ｄ１６により係止された状態で固定されている。更に、第一アングルの第一片ａ１１は、長孔ｇ１１、ｇ１２が左右方向に延びるよう配され、第二アングルの第二片ｂ１２は、長孔ｈ１１、ｈ１２が上下方向に延びるように配され、第一アングルの第二片と第二アングルの第一片は、互いの長孔が交差するよう配されている。【選択図】図１
0003178713.tif 000002
【実用新案登録請求の範囲】
【請求項１】
第一アングルと、第二アングルと、断熱材と、金具と、建築板とからなる壁面施工構造であって、
第一アングルは、長孔を有する第一片と、長孔を有する第二片とからなり、
第二アングルは、長孔を有する第一片と、長孔を有する第二片とからなり、
金具は、固定部と、上係止部と、下係止部とを有し、
建築板は、上端部及び下端部に実部を有し、
第一アングルは、第一片が構造躯体に接するとともに、第二片が第二アングルと接した状態で固定されており、
第二アングルは、第一片が第一アングルと接すると共に、第二片が構造躯体に対して平行な状態で固定されており、
断熱材は、建築板と構造躯体との間に配置されており、
金具は、固定部が第二アングルの第二片と接した状態で固定されており、
金具より上方に配された建築板の実部は、上係止部により係止されており、
金具より下方に配された建築板の実部は、下係止部により係止されており、
第一アングルの第一片は、長孔が左右方向に延びるように配された状態で、該長孔に固定具を貫通させて固定されており、
第二アングルの第二片は、長孔が上下方向に延びるように配された状態で、該長孔に別の固定具を貫通させて金具を固定しており、
第一アングルの第二片と第二アングルの第一片は、互いの長孔が交差した状態で、両長孔にボルトが貫通している
ことを特徴とする壁面施工構造。
【請求項２】
第一アングルの第二片は、長孔が前後方向に延びるように配された状態で固定されており、
第二アングルの第一片は、長孔が上下方向に延びるように配された状態で固定されている
ことを特徴とする請求項１に記載の壁面施工構造。
【請求項３】
第一アングルの第二片は、長孔が上下方向に延びるように配された状態で固定されており、
第二アングルの第一片は、長孔が前後方向に延びるように配された状態で固定されている
ことを特徴とする請求項１に記載の壁面施工構造。
【請求項４】
第一アングル、及び／又は第二アングルは、
第一片と第二片の連結部に補強リブを有する
ことを特徴とする請求項１に記載の壁面施工構造。
【請求項５】
前記金具は、固定部と、上支持部と、中央支持部と、突出部と、上係止部と、下係止部と、下支持部と、下端部とを有し、
上支持部は、固定部の上端から前方に延びており、
中央支持部は、固定部の下端から前方に延びており、
突出部は、中央支持部の下端から前方に延びており、
上係止部は、突出部の先端から上方に延びており、
下係止部は、突出部の先端から下方に延びており、
下支持部は、突出部の下端から下方に延びており、
下端部は、下支持部の下端から後方に延びている
ことを特徴とする請求項１に記載の壁面施工構造。
【請求項６】
前記金具より上方に配された建築板は、実部が、上係止部と、中央支持部により係止されていると共に、裏面が上支持部と当接しており、
前記金具より下方に配された建築板は、実部が、下係止部と、下支持部により係止されている
ことを特徴とする請求項５に記載の壁面施工構造。
【請求項７】
前記金具は、複数の第二アングルにより固定されている
ことを特徴とする請求項１に記載の壁面施工構造。
【考案の詳細な説明】
【技術分野】
【０００１】
本考案は、建築物の外壁、内壁を構成する壁面施工構造に関するものである。
【背景技術】
【０００２】
従来から、建築物の構造躯体（壁下地を含む）に複数の建築板を施工して、建築物の外壁、内壁を構成することが行われている。また、近年では、室温の変動が抑えられ、冷暖房の効率が良いこと、室内に結露が発生せず、カビやダニによる被害が抑えられること、建築物内部の温度差が小さいこと、建築物の耐久性が良いこと等が望まれており、これらの要望を実現するために、建築物の壁面の断熱性能を向上させることが検討されている。
【０００３】
例えば、特許文献１には、壁下地に取り付けた壁材留具に断熱材と外装材とを保持させることにより形成される断熱壁が開示されている。しかし、壁下地は不陸を有することが多く、壁下地に直接壁材留具を取り付けると、壁材留具が外装材を保持できなくなる、保持できたとしても、外装材が不陸に沿って保持され、建築物の外観が悪くなるなどの懸念が発生する。また、多くの外装材を施工するので、施工の際に、不陸が発生することも多く、そのような場合にも、壁材留具が外装材を保持できなくなる、保持できたとしても、外装材からなる壁面に不陸が発生し、建築物の外観が悪くなるなどの懸念が発生する。
【先行技術文献】
【特許文献】
【０００４】
【特許文献１】特開２００７−９５６９号公報
【考案の概要】
【考案が解決しようとする課題】
【０００５】
よって、本考案は、建築板を安定して固定することができるとともに、不陸解消に優れた壁面施工構造を提供するものである。
【課題を解決するための手段】
【０００６】
本考案は、壁面施工構造を提供する。本考案の壁面施工構造は、第一アングルと、第二アングルと、断熱材と、金具と、建築板とからなる。第一アングルは、長孔を有する第一片と、長孔を有する第二片とからなる。第二アングルは、長孔を有する第一片と、長孔を有する第二片とからなる。金具は、固定部と、上係止部と、下係止部とを有する。建築板は、上端部及び下端部に実部を有する。そして、第一アングルは、第一片が構造躯体に接するとともに、第二片が第二アングルと接した状態で固定されている。第二アングルは、第一片が第一アングルと接すると共に、第二片が構造躯体に対して平行な状態で固定されている。なお、構造躯体に不陸を有する場合、厳密に平行にすることはできないので、ここで述べる平行とは、略平行であることを示す。断熱材は、建築板と構造躯体との間に配置されており、金具は、固定部が第二アングルの第二片と接した状態で固定されている。金具より上方に配された建築板の実部は、上係止部により係止されており、金具より下方に配された建築板の実部は、下係止部により係止されている。更に、第一アングルの第一片は、長孔が左右方向に延びるように配された状態で、該長孔にアンカー、ビス等の固定具を貫通させて固定されており、第二アングルの第二片は、長孔が上下方向に延びるように配された状態で、該長孔に別の固定具を貫通させて金具を固定している。第一アングルの第二片と第二アングルの第一片は、互いの長孔が交差した状態で、両長孔にボルトが貫通している。この構造により、建築物の構造躯体に不陸を有するとしても、不陸がないよう建築板を施工することができるし、不陸も発生しにくい。また、建築板を安定して固定することができる。なお、本考案において、建築板としては、木繊維補強セメント板、繊維補強セメント板、繊維補強セメント・ケイ酸カルシウム板などの窯業系サイディングボード、金属系サイディングボード、ＡＬＣボード、テラコッタパネルなどの陶板を用いることができる。
本考案において、第一アングルの第二片は、長孔が前後方向に延びるように配された状態で固定されており、第二アングルの第一片は、長孔が上下方向に延びるように配された状態で固定されていることもできる。また、第一アングルの第二片は、長孔が上下方向に延びるように配された状態で固定されており、第二アングルの第一片は、長孔が前後方向に延びるように配された状態で固定されていることもできる。いずれの施工構造においても、不陸解消に優れる。
更に、本考案の壁面施工構造において、第一アングル、及び／又は第二アングルが、第一片と第二片の連結部に補強リブを有すると、強度に優れるので、好ましい。
更に、金具が、固定部と、上支持部と、中央支持部と、突出部と、上係止部と、下係止部と、下支持部と、下端部とを有し、上支持部は、固定部の上端から前方に延びており、中央支持部は、固定部の下端から前方に延びており、突出部は、中央支持部の下端から前方に延びており、上係止部は、突出部の先端から上方に延びており、下係止部は、突出部の先端から下方に延びており、下支持部は、突出部の下端から下方に延びており、下端部は、下支持部の下端から後方に延びていると、該金具の固定が安定すると共に、より建築板の係止に優れるので好ましい。この場合、金具より上方に配された建築板は、実部が、上係止部と、中央支持部により係止されていると共に、裏面が上支持部と当接しており、該金具より下方に配された建築板は、実部が、下係止部と、下支持部により係止されていると、より建築板の固定が強固となるので、好ましい。
更に、金具は、複数の第二アングルにより固定されていると、建築板の固定がより強固となるので、好ましい。
【考案の効果】
【０００７】
本考案によれば、建築板を安定して固定することができるとともに、不陸解消に優れた壁面施工構造を提供することができる。
【図面の簡単な説明】
【０００８】
【図１】図１は、本考案にかかる壁面施工構造の一実施例の斜視図である。
【図２】図２は、図１に示す壁面施工構造のアングルの斜視図である。
【図３】図３は、図１に示す壁面施工構造の金具の斜視図である。
【図４】図４は、本考案にかかる壁面施工構造の他の実施例の斜視図である。
【図５】図５は、図４に示す壁面施工構造のアングルの斜視図である。
【図６】図６は、本考案にかかる壁面施工構造の更に他の実施例の斜視図である。
【図７】図７は、図６に示す壁面施工構造のアングルの斜視図である。
【図８】図８は、本考案にかかる壁面施工構造の更に他の実施例の斜視図である。
【図９】図９は、図８に示す壁面施工構造の第一アングルの斜視図である。
【図１０】図１０は、図８に示す壁面施工構造の第二アングルの斜視図である。
【図１１】図１１は、本考案にかかる壁面施工構造の更に他の実施例の斜視図である。
【図１２】図１２は、図１１に示す壁面施工構造の金具の斜視図である。
【図１３】図１３は、本考案にかかる壁面施工構造の更に他の実施例の斜視図である。
【図１４】図１４は、図１３に示す壁面施工構造の金具の斜視図である。
【考案を実施するための形態】
【０００９】
以下、図面を参照しながら本考案について詳細に説明する。
【００１０】
図１は、本考案にかかる壁面施工構造の一実施例の斜視図であり、図２は、図１に示す壁面施工構造のアングルの斜視図である。
図１に示す壁面施工構造は、第一アングルＡ１と、第二アングルＢ１と、断熱材Ｃと、金具Ｄ１と、建築板Ｅ１とからなる。
図１に示す壁面施工構造では、第一アングルＡ１、第二アングルＢ１として、図２に示すアングルを用いる。すなわち、同じ形状のアングルを用いる。
第一アングルＡ１は、第一片ａ１１と、第二片ａ１２とからなり、図２に示す通り、第一片ａ１１と、第二片ａ１２は、互いに垂直に設けられている。また、第一片ａ１１は長孔ｇ１１を、第二片ａ１２は長孔ｇ１２を有し、長孔ｇ１１と長孔ｇ１２の延びる方向は逆である。そして、第一片ａ１１と、第二片ａ１２の連結部には、補強リブａ１３を有する。
一方、第二アングルＢ１は、第一片ｂ１１と、第二片ｂ１２とからなり、図２に示す通り、第一片ｂ１１と、第二片ｂ１２は、互いに垂直に設けられている。また、第一片ｂ１１は長孔ｈ１１を、第二片ａ１２は長孔ｈ１２を有し、長孔ｈ１１と長孔ｈ１２の延びる方向は逆である。そして、第一片ｂ１１と、第二片ｂ１２の連結部には、補強リブｂ１３を有する。
金具Ｄ１として、図３に示す金具を用いる。金具Ｄ１は、固定部ｄ１１と、上支持部ｄ１２と、中央支持部ｄ１３と、突出部ｄ１４と、上係止部ｄ１５と、下係止部ｄ１６と、下支持部ｄ１７と、下端部ｄ１８とを有し、左右方向に延びたロング金具である。上支持部ｄ１２は、固定部ｄ１１の上端から前方に延びている。中央支持部ｄ１３は、固定部ｄ１１の下端から前方に延びている。突出部ｄ１４は、中央支持部ｄ１３の下端から前方に延びている。上係止部ｄ１５は、突出部ｄ１４の先端から上方に延びており、下係止部ｄ１６は、突出部ｄ１４の先端から下方に延びている。下支持部ｄ１７は、突出部ｄ１４の下端から下方に延びている。下端部ｄ１８は、下支持部ｄ１７の下端から後方に延びている。
建築板Ｅ１は、上端部に実部ｅ１を有し、下端部に実部ｅ２を有する木質セメント板である。
図１に示す壁面施工構造では、第一アングルＡ１は、第一片ａ１１の長孔ｇ１１が左右方向に延びるように配され、第一片ａ１１が構造躯体に接した状態で、長孔ｇ１１にアンカーが貫通し、固定されている。そして、第二片ａ１２は第一片ａ１１に対して垂直であるので、長孔ｇ１２は上下方向に延びるように配された状態で固定されている。
第二アングルＢ１は、第一片ｂ１１が第一アングルの第二片ａ１２と接すると共に、第二片ｂ１２が構造躯体に対して平行で、かつ、長孔ｈ１２が上下方向に延びるように配された状態に配されており、第一片ｂ１１は、長孔ｈ１１が前後方向に延びるように配された状態で固定されている。
そして、第一アングルの第二片ａ１２の長孔ｇ１２と、第二アングルの第一片ｂ１１の長孔ｈ１１にはボルトが貫通しており、それにより、第二アングルＢ１は固定されている。なお、長孔ｇ１２は上下方向に延びており、長孔ｈ１１は前後方向に延びているので、互いの長孔は交差した状態であり、互いの長孔の交差位置にボルトが貫通し締めてある。よって、、図１に示す壁面施工構造では、第一アングルＡ１と第二アングルＢ１は、水平方向に連なるよう配されている。
そして、第二アングルの第二片ｂ１２は、構造躯体に対して略平行とされており、第二片ｂ１２には、金具の固定部ｄ１１が接しており、固定部ｄ１１から第二片の長孔ｈ１２に向かってビスが貫通している。それにより、金具Ｄ１も安定した状態で固定されている。なお、金具Ｄ１は左右に長く延びた形状であり、複数の第二アングルＢ１により固定されている。
金具Ｄ１より上方に配された建築板Ｅ１は、実部ｅ２が金具の上係止部ｄ１５と中央支持部ｄ１３により係止されていると共に、建築板Ｅ１の裏面が上支持部ｄ１２と当接している。金具Ｄ１より下方に配された建築板Ｅ１は、実部ｅ１が金具の下係止部ｄ１６と、下支持部ｄ１７により係止されている。それにより、金具Ｄ１の上下に配された建築板は強固に固定されている。
以上の構成により、図１に示す壁面施工構造は、建築板を安定して固定することができるとともに、不陸解消に優れる。詳しくは、第一アングルＡ１の第一片ａ１１は、構造躯体に接するとともに、長孔ｇ１１が左右方向に延びるように配された状態で、長孔ｇ１１にアンカーが貫通し、固定されているので、第一アングルＡ１は上下方向に動きにくい。第一アングルＡ１には、金具Ｄ１、建築板Ｅ１により上下方向に加重がかかりやすいが、前述した固定により上下方向の変動に強いので、建築板Ｅ１を安定して固定することができる。更に、第二アングルＢ１の第二片ｂ１２が構造躯体に対して略平行で、かつ、長孔ｈ１２が上下方向に延びるように配された状態に配されているので、金具Ｄ１をビスで固定する際に、金具Ｄ１の固定位置を上下方向に調整することができる。複数の建築板Ｅ１を施工する際に、複数の建築板Ｅ１は下から上に向かって施工していくのだが、構造躯体、建築板Ｅ１の状態により、上下方向に調整が必要になることが多々あるので、金具Ｄ１の固定位置を上下方向で調整できることにより、施工しやすい。また、施工の際に、構成する部材に余分な負荷をかけないので、長期にわたり安定して建築板Ｅ１を固定することができる。更に、第一アングルＡ１の第二片ａ１２と第二アングルＢ１の第一片ｂ１１が接するとともに、上下方向に延びた長孔ｇ１２と、前後方向に延びた長孔ｈ１１の交差位置にボルトが貫通し、締めてあるので、構造躯体が不陸を有する、建築板Ｅ１施工時に不陸が発生したとしても、ボルトの交差位置を調整することにより、不陸を解消することができる。更に、第一アングルＡ１、第二アングルＢ１は、第一片と第二片の連結部に補強リブを有するので、変形しにくく、建築板をより安定して固定することができる。
【００１１】
図４は、本考案にかかる壁面施工構造の他の実施例の斜視図である。
図４に示す壁面施工構造も、第一アングルと、第二アングルと、断熱材Ｃと、金具Ｄ１と、建築板Ｅ１とからなるが、図１に示す壁面施工構造とは、第一アングルと第二アングルの配置が異なる。
図４に示す施工構造では、第一アングルＡ２、第二アングルＢ２として、図５に示すアングルを用いる。
第一アングルＡ２は、第一片ａ２１と、第二片ａ２２とからなり、図５に示す通り、第一片ａ２１と、第二片ａ２２は、互いに垂直に設けられている。また、第一片ａ２１は長孔ｇ２１を、第二片ａ２２は長孔ｇ２２を有し、長孔ｇ２１と長孔ｇ２２の延びる方向は逆である。そして、第一片ａ２１と、第二片ａ２２の連結部には、補強リブａ２３を有する。
一方、第二アングルＢ２は、第一片ｂ２１と、第二片ｂ２２とからなり、図５に示す通り、第一片ｂ２１と、第二片ｂ２２は、互いに垂直に設けられている。また、第一片ｂ２１は長孔ｈ２１を、第二片ａ２２は長孔ｈ２２を有し、長孔ｈ２１と長孔ｈ２２の延びる方向は逆である。そして、第一片ｂ２１と、第二片ｂ２２の連結部には、補強リブｂ２３を有する。
図４に示す壁面施工構造でも、第一アングルＡ２は、第一片ａ２１の長孔ｇ２１が左右方向に延びるように配され、第一片ａ２１が構造躯体に接した状態で、長孔ｇ２１をアンカーが貫通して固定されており、第二片ａ２２は、長孔ｇ２２が前後方向に延びるように配された状態で固定されている。
第二アングルＢ２は、第一片ｂ２１が第一アングルの第二片ａ２２と接すると共に、第二片ｂ２２が構造躯体に対して平行で、かつ、長孔ｈ２２が上下方向に延びるように配された状態に配されており、第一片ｂ２１は、長孔ｈ２１が左右方向に延びるように配された状態で固定されている。
そして、第一アングルの第二片ａ２２の長孔ｇ２２と、第二アングルの第一片ｂ２１の長孔ｈ２１にはボルトが貫通しており、それにより、第二アングルＢ２は固定されている。なお、長孔ｇ２２は前後方向に延びており、長孔ｈ２１は左右方向に延びているので、互いの長孔は交差した状態であり、互いの長孔の交差位置にボルトが貫通し締めてある。よって、図２に示す壁面施工構造では、第一アングルＡ２と第二アングルＢ２は、垂直方向に連なるよう配されている。
他は図１に示す壁面施工構造と同じである。
以上の構成により、図４に示す壁面施工構造も、第一アングルＡ２の第一片ａ２１は、構造躯体に接するとともに、長孔ｇ２１が左右方向に延びるように配された状態で、長孔ｇ２１にアンカーが貫通し、固定されているので、第一アングルＡ２は上下方向に動きにくく、建築板Ｅ１を安定して固定することができる。また、第二アングルＢ２の第二片ｂ２２が構造躯体に対して略平行で、かつ、長孔ｈ２２が上下方向に延びるように配された状態に配されているので、金具Ｄ１をビスで固定する際に、金具Ｄ１の固定位置を上下方向に調整することができるので、建築板Ｅ１を施工しやすく、長期にわたり安定して建築板Ｅ１を固定することができる。更に、第一アングルＡ２の第二片ａ２２と第二アングルＢ２の第一片ｂ２１が接するとともに、前後方向に延びた長孔ｇ２２と、左右方向に延びた長孔ｈ２１の交差位置にボルトが貫通し、締めてあるので、構造躯体が不陸を有する、建築板Ｅ１施工時に不陸が発生したとしても、ボルトの交差位置を調整することにより、不陸を解消することができる。更に、第一アングルＡ２、第二アングルＢ２は、第一片と第二片の連結部に補強リブを有するので、変形しにくく、建築板をより安定して固定することができる。
【００１２】
図６は、本考案にかかる壁面施工構造の更に他の実施例の斜視図である。
図６に示す壁面施工構造も、第一アングルと、第二アングルと、断熱材Ｃと、金具Ｄ１と、建築板Ｅ１とからなるが、図１に示す壁面施工構造とは、第一アングルと第二アングルが異なる。
図６に示す施工構造では、第一アングルＡ３、第二アングルＢ３として、図７に示すアングルを用いる。
第一アングルＡ３は、第一片ａ３１と、第二片ａ３２とからなり、第一片ａ３１と、第二片ａ３２は、互いに垂直に設けられている。第一片ａ３１は長孔ｇ３１を、第二片ａ３２は長孔ｇ３２を有し、長孔ｇ３１と長孔ｇ３２の延びる方向は逆である。
一方、第二アングルＢ３は、第一片ｂ３１と、第二片ｂ３２とからなり、第一片ｂ３１と、第二片ｂ３２は、互いに垂直に設けられている。また、第一片ｂ３１は長孔ｈ３１を、第二片ａ３２は長孔ｈ３２を有し、長孔ｈ３１と長孔ｈ３２の延びる方向は逆である。
図６に示す壁面施工構造でも、第一アングルＡ３は、第一片ａ３１の長孔ｇ３１が左右方向に延びるように配され、第一片ａ３１が構造躯体に接した状態で、長孔ｇ３１をアンカーが貫通して固定されており、第二片ａ３２は、長孔ｇ３２が上下方向に延びるように配された状態で固定されている。
第二アングルＢ３は、第一片ｂ３１が第一アングルの第二片ａ３２に接すると共に、第二片ｂ３２が構造躯体に対して略平行で、かつ、長孔ｈ３２が上下方向に延びるように配された状態に配されており、第一片ｂ３１は、長孔ｈ３１が前後方向に延びるように配された状態で固定されている。
そして、第一アングルの第二片ａ３２の長孔ｇ３２と、第二アングルの第一片ｂ３１の長孔ｈ３１にはボルトが貫通しており、それにより、第二アングルＢ３は固定されている。なお、長孔ｇ３２は上下方向に延びており、長孔ｈ３１は前後方向に延びているので、互いの長孔は交差した状態であり、互いの長孔の交差位置にボルトが貫通し締めてある。
他は図１に示す壁面施工構造と同じである。
以上の構成により、図６に示す壁面施工構造も、第一アングルＡ３の第一片ａ３１は、構造躯体に接するとともに、長孔ｇ３１が左右方向に延びるように配された状態で、長孔ｇ３１にアンカーが貫通して固定されているので、第一アングルＡ３は上下方向に動きにくく、建築板Ｅ１を安定して固定することができる。また、第二アングルＢ３の第二片ｂ３２が構造躯体に対して略平行で、かつ、長孔ｈ３２が上下方向に延びるように配された状態に配されているので、金具Ｄ１をビスで固定する際に、金具Ｄ１の固定位置を上下方向に調整することができるので、建築板Ｅ１を施工しやすく、長期にわたり安定して建築板Ｅ１を固定することができる。更に、第一アングルＡ３の第二片ａ３２と第二アングルＢ３の第一片ｂ３１が接するとともに、上下方向に延びた長孔ｇ３２と、前後方向に延びた長孔ｈ３１の交差位置にボルトが貫通し、締めてあるので、構造躯体が不陸を有する、建築板Ｅ１施工時に不陸が発生したとしても、ボルトの交差位置を調整することにより、不陸を解消することができる。
【００１３】
図８は、本考案にかかる壁面施工構造の更に他の実施例の斜視図である。
図８に示す壁面施工構造も、第一アングルと、第二アングルと、断熱材Ｃと、金具Ｄ１と、建築板Ｅ１とからなるが、図１に示す壁面施工構造とは、第一アングルと第二アングルが異なる。
図８に示す施工構造では、第一アングルＡ４として図９に示すアングルを、第二アングルＢ４として図１０に示すアングルを用いる。
第一アングルＡ４は、第一片ａ４１と、第二片ａ４２とからなり、第一片ａ４１と、第二片ａ４２は、互いに垂直に設けられている。第一片ａ４１は長孔ｇ４１を、第二片ａ４２は長孔ｇ４２を有し、長孔ｇ４１と長孔ｇ４２の延びる方向は同じである。そして、第一片ａ４１と、第二片ａ４２の連結部には、補強リブａ４３を有する。
一方、第二アングルＢ４は、第一片ｂ４１と、第二片ｂ４２とからなり、第一片ｂ４１と、第二片ｂ４２は、互いに垂直に設けられている。また、第一片ｂ４１は長孔ｈ４１を、第二片ａ４２は長孔ｈ４２を有し、長孔ｈ４１と長孔ｈ４２の延びる方向は同じである。そして、第一片ｂ４１と、第二片ｂ４２の連結部には、補強リブｂ４３を有する。
図８に示す壁面施工構造でも、第一アングルＡ４は、第一片ａ４１の長孔ｇ４１が左右方向に延びるように配され、第一片ａ４１が構造躯体に接した状態で、長孔ｇ４１をアンカーが貫通して固定されており、第二片ａ４２は、長孔ｇ４２が前後方向に延びるように配された状態で固定されている。
第二アングルＢ４は、第一片ｂ４１が第一アングルの第二片ａ４２に接すると共に、第二片ｂ４２が構造躯体に対して略平行で、かつ、長孔ｈ４２が上下方向に延びるように配された状態に配されており、第一片ｂ４１は、長孔ｈ４１が上下方向に延びるように配された状態で固定されている。
そして、第一アングルの第二片ａ４２の長孔ｇ４２と、第二アングルの第一片ｂ４１の長孔ｈ４１にはボルトが貫通しており、それにより、第二アングルＢ４は固定されている。なお、長孔ｇ４２は前後方向に延びており、長孔ｈ４１は上下方向に延びているので、互いの長孔は交差した状態であり、互いの長孔の交差位置にボルトが貫通し締めてある。
他は図１に示す壁面施工構造と同じである。
以上の構成により、図８に示す壁面施工構造も、第一アングルＡ４の第一片ａ４１は、構造躯体に接するとともに、長孔ｇ４１が左右方向に延びるように配された状態で、長孔ｇ４１にアンカーが貫通して固定されているので、第一アングルＡ４は上下方向に動きにくく、建築板Ｅ１を安定して固定することができる。また、第二アングルＢ４の第二片ｂ４２が構造躯体に対して略平行で、かつ、長孔ｈ４２が上下方向に延びるように配された状態に配されているので、金具Ｄ１をビスで固定する際に、金具Ｄ１の固定位置を上下方向に調整することができるので、建築板Ｅ１を施工しやすく、長期にわたり安定して建築板Ｅ１を固定することができる。更に、第一アングルＡ４の第二片ａ４２と第二アングルＢ４の第一片ｂ４１が接するとともに、前後方向に延びた長孔ｇ４２と、上下方向に延びた長孔ｈ４１の交差位置にボルトが貫通し、締めてあるので、構造躯体が不陸を有する、建築板Ｅ１施工時に不陸が発生したとしても、ボルトの交差位置を調整することにより、不陸を解消することができる。更に、第一アングルＡ４、第二アングルＢ４は、第一片と第二片の連結部に補強リブを有するので、変形しにくく、建築板をより安定して固定することができる。
【００１４】
図１１は、本考案にかかる壁面施工構造の更に他の実施例の斜視図である。
図１１に示す壁面施工構造も、第一アングルＡ１と、第二アングルＢ１と、断熱材Ｃと、金具と、建築板Ｅ１とからなるが、図１に示す壁面施工構造とは、金具が異なる。
図１１に示す施工構造では、図１２に示す金具Ｄ２を用いる。金具Ｄ２は、固定部ｄ２１と、突出部ｄ２４と、上係止部ｄ２５と、下係止部ｄ１６とを有する金具である。突出部ｄ２４は、固定部ｄ２１の下端から前方に延びている。上係止部ｄ２５は、突出部ｄ２４の先端から上方に延びており、下係止部ｄ２６は、突出部ｄ２４の先端から下方に延びている。
図１１に示す壁面施工構造でも、第一アングルＡ１、第二アングルＢ１は、図１に示す壁面施工構造と同様に配されている。すなわち、第二片ｂ１２が構造躯体に対して略平行で、かつ、長孔ｈ１２が上下方向に延びるように配された状態に配されている。そして、図１１に示す壁面施工構造では、第二片ｂ１２には、金具の固定部ｄ２１が接しており、固定部ｄ２１から第二片の長孔ｈ１２に向かってビスが貫通している。それにより、金具Ｄ２も安定した状態で固定されている。金具Ｄ２より上方に配された建築板Ｅ１は、実部ｅ２が金具の上係止部ｄ２５により係止されており、金具Ｄ２より下方に配された建築板Ｅ１は、実部ｅ１が金具の下係止部ｄ２６により係止されている。それにより、金具Ｄ２の上下に配された建築板は強固に固定されている。
他は図１に示す壁面施工構造と同じである。
以上の構成により、図１１に示す壁面施工構造も、第一アングルＡ１の第一片ａ１１は、構造躯体に接するとともに、長孔ｇ１１が左右方向に延びるように配された状態で、長孔ｇ１１にアンカーが貫通し、固定されているので、第一アングルＡ１は上下方向に動きにくく、建築板Ｅ１を安定して固定することができる。更に、第二アングルＢ１の第二片ｂ１２が構造躯体に対して略平行で、かつ、長孔ｈ１２が上下方向に延びるように配された状態に配されているので、金具Ｄ２をビスで固定する際に、金具Ｄ２の固定位置を上下方向に調整することができるので、建築板Ｅ１を施工しやすく、長期にわたり安定して建築板Ｅ１を固定することができる。更に、第一アングルＡ１の第二片ａ１２と第二アングルＢ１の第一片ｂ１１が接するとともに、上下方向に延びた長孔ｇ１２と、前後方向に延びた長孔ｈ１１の交差位置にボルトが貫通し、締めてあるので、構造躯体が不陸を有する、建築板Ｅ１施工時に不陸が発生したとしても、ボルトの交差位置を調整することにより、不陸を解消することができる。
【００１５】
図１３は、本考案にかかる壁面施工構造の更に他の実施例の斜視図である。
図１３に示す壁面施工構造も、第一アングルＡ１と、第二アングルＢ１と、断熱材Ｃと、金具と、建築板Ｅ１とからなるが、図１に示す壁面施工構造とは、金具が異なる。
図１３に示す施工構造では、図１４に示す金具Ｄ３を用いる。金具Ｄ３は、固定部ｄ３１と、中央支持部ｄ３３と、突出部ｄ３４と、上係止部ｄ３５と、下係止部ｄ３６と、下支持部ｄ３７と、左右支持部ｄ３８とを有する。中央支持部ｄ３３は、固定部ｄ３１の下端から前方に延びている。突出部ｄ３４は、中央支持部ｄ３３の下端から前方に延びている。上係止部ｄ３５は、突出部ｄ３４の先端から上方に延びており、下係止部ｄ３６は、突出部ｄ３４の先端から下方に延びている。下支持部ｄ３７は、突出部ｄ３４より下方に設けられている。中央支持部ｄ３３と、下支持部ｄ３７と、左右支持部ｄ３８とは連結しており、かつ、高さは同じである。
図１３に示す壁面施工構造でも、第一アングルＡ１、第二アングルＢ１は、図１に示す壁面施工構造と同様に配されている。すなわち、第二片ｂ１２が構造躯体に対して略平行で、かつ、長孔ｈ１２が上下方向に延びるように配された状態に配されている。そして、図１１に示す壁面施工構造では、第二片ｂ１２には、金具の固定部ｄ３１が接しており、固定部ｄ３１から第二片の長孔ｈ１２に向かってビスが貫通している。それにより、金具Ｄ３も安定した状態で固定されている。金具Ｄ３より上方に配された建築板Ｅ１は、実部ｅ２が金具の上係止部ｄ３５と、中央支持部ｄ３３と、左右支持部ｄ３８とにより係止されている。金具Ｄ３より下方に配された建築板Ｅ１は、実部ｅ１が金具の下係止部ｄ３６と、下支持部ｄ３７と、左右支持部ｄ３８とにより係止されている。それにより、金具Ｄ３の上下に配された建築板は強固に固定されている。
他は図１に示す壁面施工構造と同じである。
以上の構成により、図１３に示す壁面施工構造も、第一アングルＡ１の第一片ａ１１は、構造躯体に接するとともに、長孔ｇ１１が左右方向に延びるように配された状態で、長孔ｇ１１にアンカーが貫通し、固定されているので、第一アングルＡ１は上下方向に動きにくく、建築板Ｅ１を安定して固定することができる。更に、第二アングルＢ１の第二片ｂ１２が構造躯体に対して略平行で、かつ、長孔ｈ１２が上下方向に延びるように配された状態に配されているので、金具Ｄ３をビスで固定する際に、金具Ｄ３の固定位置を上下方向に調整することができるので、建築板Ｅ１を施工しやすく、長期にわたり安定して建築板Ｅ１を固定することができる。更に、第一アングルＡ１の第二片ａ１２と第二アングルＢ１の第一片ｂ１１が接するとともに、上下方向に延びた長孔ｇ１２と、前後方向に延びた長孔ｈ１１の交差位置にボルトが貫通し、締めてあるので、構造躯体が不陸を有する、建築板Ｅ１施工時に不陸が発生したとしても、ボルトの交差位置を調整することにより、不陸を解消することができる。
【００１６】
以上に本考案の実施形態について説明したが、本考案はこれに限定されず、実用新案登録請求の範囲に記載の考案の範囲において種々の変形態を取り得る。例えば、図１に示す壁面施工構造において、第二アングルとして図７に示すアングルを用いることが可能であるし、図１２に示す金具に補強リブを設けることも可能である。
【産業上の利用可能性】
【００１７】
以上説明したように、本考案によれば、建築板を安定して固定することができるとともに、不陸解消に優れた壁面施工構造を提供することができる。
【符号の説明】
【００１８】
Ａ１〜Ａ４      第一アングル
Ｂ１〜Ｂ４      第二アングル
Ｃ              断熱材
Ｄ１〜Ｄ３      金具
Ｅ              建築板
ａ１１〜ａ４１  第一アングルの第一片
ａ１２〜ａ４２  第一アングルの第二片
ａ１３、ａ２３  補強リブ
ｂ１１〜ｂ４１  第一アングルの第一片
ｂ１２〜ｂ４２  第一アングルの第二片
ｇ１１〜ｇ４２  長孔
ｈ１１〜ｈ４２  長孔
【図１】
0003178713.tif 000003
【図２】
0003178713.tif 000004
【図３】
0003178713.tif 000005
【図４】
0003178713.tif 000006
【図５】
0003178713.tif 000007
【図６】
0003178713.tif 000008
【図７】
0003178713.tif 000009
【図８】
0003178713.tif 000010
【図９】
0003178713.tif 000011
【図１０】
0003178713.tif 000012
【図１１】
0003178713.tif 000013
【図１２】
0003178713.tif 000014
【図１３】
0003178713.tif 000015
【図１４】
0003178713.tif 000016